(57)【特許請求の範囲】
【請求項１】
通信回線を介して接続された複数のユーザー端末に対してオンラインによるコミュニケーションサービスを提供するための装置であって、
前記コミュニケーションサービスはチャットサービスと掲示板サービスを含み、
チャットサービスに参加しているメンバーの紹介情報を前記メンバーそれぞれのユーザー端末に提供する情報提供手段と、
個々のメンバーの、他のメンバーの掲示板への発言に対する返答率を取得する返答率取得手段とを備え、
前記情報提供手段は、前記紹介情報の一部として、前記返答率に応じて、異なる性格情報を提供する性格情報提供手段を含むことを特徴とするオンラインコミュニケーション装置。
【請求項２】
通信回線を介して接続された複数のユーザー端末に対してオンラインによるコミュニケーションサービスを提供するための装置であって、
前記コミュニケーションサービスはチャットサービスとメール交換サービスを含み、
チャットサービスに参加しているメンバーの紹介情報を前記メンバーそれぞれのユーザー端末に提供する情報提供手段と、
個々のメンバーの、他のメンバーからのメールに対する返答率を取得する返答率取得手段とを備え、
前記情報提供手段は、前記紹介情報の一部として、前記返答率に応じて、異なる性格情報を提供する性格情報提供手段を含むことを特徴とするオンラインコミュニケーション装置。
【請求項３】
前記返答率取得手段は、前記掲示板サービスの場に送信される発言の中から、他のメンバーの発言に対する返答を検出する返答検出手段と、メンバー毎に前記返答の回数を計数する返答回数計数手段と、前記返答の回数に基づいて、個々のメンバーの前記返答率を計算する返答率計算手段と、を含むことを特徴とする請求項１記載のオンラインコミュニケーション装置。
【請求項４】
前記返答率取得手段は、前記メール交換サービスの場に送信されるメールの中から、他のメンバーのメールに対する返答を検出する返答検出手段と、メンバー毎に前記返答の回数を計数する返答回数計数手段と、前記返答の回数に基づいて、個々のメンバーの前記返答率を計算する返答率計算手段と、を含むことを特徴とする請求項２記載のオンラインコミュニケーション装置。
【請求項５】
前記ユーザー端末は、他のメンバーから送信されてきたメールに対して返信が出された割合を計算する返信割合計算手段と、通信回線を介してその割合をアップロードする手段とを備え、
前記返答率取得手段は、前記ユーザー端末からアップロードされてくる割合を前記返答率として取得することを特徴とする請求項２記載のオンラインコミュニケーション装置。
【請求項６】
前記ユーザー端末は、他のメンバーから送信されてきたメールに対して返信が出された割合を計算する返信割合計算手段と、前記割合を符号化情報としてユーザーに提示する情報提示手段と、ユーザーによって入力された前記符号化情報を通信回線を介してアップロードする手段とを備え、
当該オンラインコミュニケーション装置は、前記ユーザー端末からアップロードされてくる符号化情報を解読する手段を備え、
前記返答率取得手段は、前記符号化情報の解読結果の中から前記返答率を取得することを特徴とする請求項２記載のオンラインコミュニケーション装置。
【請求項７】
前記メンバーそれぞれの性格情報に基づいて、個々メンバーと他のメンバーとの相性を導き出す相性導出手段と、
前記相性の情報を前記ユーザー端末に提供する相性情報提供手段と、
を備えることを特徴とする請求項１乃至６の何れか１項記載のオンラインコミュニケーション装置。
【請求項８】
通信回線を介して接続された複数のユーザー端末に対してオンラインによるコミュニケーションサービスを提供するための方法であって、
前記コミュニケーションサービスはチャットサービスと掲示板サービスを含み、
チャットサービスに参加しているメンバーの紹介情報を前記メンバーそれぞれのユーザー端末に提供する情報提供ステップと、
個々のメンバーの、他のメンバーの掲示板への発言に対する返答率を取得する返答率取得ステップとを備え、
前記情報提供ステップは、前記紹介情報の一部として、前記返答率に応じて、異なる性格情報を提供する性格情報提供ステップを含むことを特徴とするオンラインコミュニケーション方法。
【請求項９】
通信回線を介して接続された複数のユーザー端末に対してオンラインによるコミュニケーションサービスを提供するための方法であって、
前記コミュニケーションサービスはチャットとサービスメール交換サービスを含み、
チャットサービスに参加しているメンバーの紹介情報を前記メンバーそれぞれのユーザー端末に提供する情報提供ステップと、
個々のメンバーの、他のメンバーからのメールに対する返答率を取得する返答率取得ステップとを備え、
前記情報提供ステップは、前記紹介情報の一部として、前記返答率に応じて、異なる性格情報を提供する性格情報提供ステップを含むことを特徴とするオンラインコミュニケーション方法。
【請求項１０】
前記返答率取得ステップは、前記掲示板サービスの場に送信される発言の中から、他のメンバーの発言に対する返答を検出する返答検出ステップと、メンバー毎に前記返答の回数を計数する返答回数計数ステップと、前記返答の回数に基づいて、個々のメンバーの前記返答率を計算する返答率計算ステップと、を含むことを特徴とする請求項８記載のオンラインコミュニケーション方法。
【請求項１１】
前記返答率取得ステップは、前記メール交換サービスの場に送信されるメールの中から、他のメンバーのメールに対する返答を検出する返答検出ステップと、メンバー毎に前記返答の回数を計数する返答回数計数ステップと、前記返答の回数に基づいて、個々のメンバーの前記返答率を計算する返答率計算ステップと、を含むことを特徴とする請求項９記載のオンラインコミュニケーション方法。
【請求項１２】
前記ユーザー端末は、他のメンバーから送信されてきたメールに対して返信が出された割合を計算する返信割合計算処理と、通信回線を介してその割合をアップロードする処理とを実行し、
前記返答率取得ステップでは、前記ユーザー端末からアップロードされてくる割合が前記返答率として取得されることを特徴とする請求項９記載のオンラインコミュニケーション方法。
【請求項１３】
前記ユーザー端末は、他のメンバーから送信されてきたメールに対して返信が出された割合を計算する返信割合計算処理と、前記割合を符号化情報としてユーザーに提示する情報提示処理と、ユーザーによって入力された前記符号化情報を通信回線を介してアップロードする処理とを実行し、
当該オンラインコミュニケーション方法は、前記ユーザー端末からアップロードされてくる符号化情報を解読するステップを含み、
前記返答率取得ステップでは、前記符号化情報の解読結果の中から前記返答率が取得されることを特徴とする請求項９記載のオンラインコミュニケーション方法。
【請求項１４】
前記メンバーそれぞれの性格情報に基づいて、個々メンバーと他のメンバーとの相性を導き出す相性導出ステップと、
前記相性の情報を前記ユーザー端末に提供する相性情報提供ステップと、
を含むことを特徴とする請求項８乃至１３の何れか１項記載のオンラインコミュニケーション方法。
【請求項１５】
通信回線を介して接続された複数のユーザー端末に対してオンラインによるコミュニケーションサービスを提供するためのプログラムであって、
前記コミュニケーションサービスはチャットサービスと掲示板サービスを含み、
チャットサービスに参加しているメンバーの紹介情報を前記メンバーそれぞれのユーザー端末に提供する情報提供処理をコンピュータに実行させるためのプログラムと、
個々のメンバーの、他のメンバーの掲示板への発言に対する返答率を取得する返答率取得処理をコンピュータに実行させるためのプログラムとを含み、
前記情報提供処理は、前記紹介情報の一部として、前記返答率に応じて、異なる性格情報を提供する性格情報提供処理を含むことを特徴とするオンラインコミュニケーション用プログラム。
【請求項１６】
通信回線を介して接続された複数のユーザー端末に対してオンラインによるコミュニケーションサービスを提供するためのプログラムであって、
前記コミュニケーションサービスはチャットサービスとメール交換サービスを含み、
チャットサービスに参加しているメンバーの紹介情報を前記メンバーそれぞれのユーザー端末に提供する情報提供処理をコンピュータに実行させるためのプログラムと、
個々のメンバーの、他のメンバーからのメールに対する返答率を取得する返答率取得処理をコンピュータに実行させるためのプログラムとを含み、
前記情報提供処理は、前記紹介情報の一部として、前記返答率に応じて、異なる性格情報を提供する性格情報提供処理を含むことを特徴とするオンラインコミュニケーション用プログラム。
【請求項１７】
前記返答率取得処理は、前記掲示板サービスの場に送信される発言の中から、他のメンバーの発言に対する返答を検出する返答検出処理と、メンバー毎に前記返答の回数を計数する返答回数計数処理と、前記返答の回数に基づいて、個々のメンバーの前記返答率を計算する返答率計算処理と、を含むことを特徴とする請求項１５記載のオンラインコミュニケーション用プログラム。
【請求項１８】
前記返答率取得処理は、前記メール交換サービスの場に送信されるメールの中から、他のメンバーのメールに対する返答を検出する返答検出処理と、メンバー毎に前記返答の回数を計数する返答回数計数処理と、前記返答の回数に基づいて、個々のメンバーの前記返答率を計算する返答率計算処理と、を含むことを特徴とする請求項１６記載のオンラインコミュニケーション用プログラム。
【請求項１９】
前記ユーザー端末は、他のメンバーから送信されてきたメールに対して返信が出された割合を計算する返信割合計算処理と、通信回線を介してその割合をアップロードする処理とを実行し、
前記返答率取得処理では、前記ユーザー端末からアップロードされてくる割合が前記返答率として取得されることを特徴とする請求項１６記載のオンラインコミュニケーション用プログラム。
【請求項２０】
前記ユーザー端末は、他のメンバーから送信されてきたメールに対して返信が出された割合を計算する返信割合計算処理と、前記割合を符号化情報としてユーザーに提示する情報提示処理と、ユーザーによって入力された前記符号化情報を通信回線を介してアップロードする処理とを実行し、
当該オンラインコミュニケーション用プログラムは、前記ユーザー端末からアップロードされてくる符号化情報を解読する処理をコンピュータに実行させるためのプログラムを更に含み、
前記返答率取得処理では、前記符号化情報の解読結果の中から前記返答率が取得されることを特徴とする請求項１６記載のオンラインコミュニケーション用プログラム。
【請求項２１】
前記メンバーそれぞれの性格情報に基づいて、個々メンバーと他のメンバーとの相性を導き出す相性導出処理と、
前記相性の情報を前記ユーザー端末に提供する相性情報提供処理と、
をコンピュータに実行させるプログラムを含むことを特徴とする請求項１５乃至２０の何れか１項記載のオンラインコミュニケーション用プログラム。
【請求項２２】
請求項１５乃至２１の何れか１項記載のオンラインコミュニケーション用プログラムを記録したことを特徴とするコンピュータ読み取り可能な記録媒体。
【発明の詳細な説明】
【０００１】
【発明の属する技術分野】
本発明は、オンラインコミュニケーションサービスの提供技術に係り、特に、オンラインコミュニケーション装置、オンラインコミュニケーション用処理方法、オンラインコミュニケーション用プログラム、およびそのプログラムを記録したコンピュータ読み取り可能な記録媒体に関する。
【０００２】
【従来の技術】
インターネット上には、複数のメンバーがオンライン上で会話を楽しむためのチャットのサイトや、ユーザーが自由に情報を読み書きすることのできる掲示板のサイトが提供されている。更に、複数のメンバーがオンラインでコミュニケーションを楽しむ方法としては、オンラインによる多人数参加型のゲームシステムや、メール交換サービスなどが知られている。
【０００３】
【発明が解決しようとする課題】
これらのオンラインコミュニケーションでは、例えばチャットの場合を例に取ると、他のメンバーに表示される情報は、通常、個々のメンバーが任意に書き込んだ称号や名前、或いはメールアドレスなどに限られる。しかし、オンラインのシステムを利用した複数のメンバー間でのコミュニケーションを活性化させるためには、個々のメンバーの性格が他のメンバーに表示されることが有効であると思われる。
【０００４】
本発明は、上記のような課題を解決するためになされたもので、オンラインコミュニケーションに参加しているメンバーに対して個々のメンバーの性格情報を表示するオンラインコミュニケーション装置を提供することを第１の目的とする。
また、本発明は、オンラインコミュニケーションに参加しているメンバーに対して個々のメンバーの性格情報を表示するためのオンラインコミュニケーション用処理方法を提供することを第２の目的とする。
また、本発明は、上記のオンラインコミュニケーション装置をコンピュータ上で実現するためのプログラムを提供することを第３の目的とする。
更に、本発明は、上記のプログラムを記録したコンピュータ読み取り可能な記録媒体を提供することを第４の目的とする。
【０００５】
【課題を解決するための手段】
第１の発明は、通信回線を介して接続された複数のユーザー端末に対してオンラインによるコミュニケーションサービスを提供するための装置であって、
前記コミュニケーションサービスはチャットサービスと掲示板サービスを含み、
チャットサービスに参加しているメンバーの紹介情報を前記メンバーそれぞれのユーザー端末に提供する情報提供手段と、
個々のメンバーの、他のメンバーの掲示板への発言に対する返答率を取得する返答率取得手段とを備え、
前記情報提供手段は、前記紹介情報の一部として、前記返答率に応じて、異なる性格情報を提供する性格情報提供手段を含むことを特徴とする。
【０００６】
第２の発明は、通信回線を介して接続された複数のユーザー端末に対してオンラインによるコミュニケーションサービスを提供するための装置であって、
前記コミュニケーションサービスはチャットサービスとメール交換サービスを含み、
チャットサービスに参加しているメンバーの紹介情報を前記メンバーそれぞれのユーザー端末に提供する情報提供手段と、
個々のメンバーの、他のメンバーからのメールに対する返答率を取得する返答率取得手段とを備え、
前記情報提供手段は、前記紹介情報の一部として、前記返答率に応じて、異なる性格情報を提供する性格情報提供手段を含むことを特徴とする。
【０００７】
第３の発明は、請求項１記載のオンラインコミュニケーション装置であって、
前記返答率取得手段は、前記掲示板サービスの場に送信される発言の中から、他のメンバーの発言に対する返答を検出する返答検出手段と、メンバー毎に前記返答の回数を計数する返答回数計数手段と、前記返答の回数に基づいて、個々のメンバーの前記返答率を計算する返答率計算手段と、を含むことを特徴とする。
【０００８】
第４の発明は、請求項２記載のオンラインコミュニケーション装置であって、
前記返答率取得手段は、前記メール交換サービスの場に送信されるメールの中から、他のメンバーのメールに対する返答を検出する返答検出手段と、メンバー毎に前記返答の回数を計数する返答回数計数手段と、前記返答の回数に基づいて、個々のメンバーの前記返答率を計算する返答率計算手段と、を含むことを特徴とする。
【０００９】
第５の発明は、請求項２記載のオンラインコミュニケーション装置であって、
前記ユーザー端末は、他のメンバーから送信されてきたメールに対して返信が出された割合を計算する返信割合計算手段と、通信回線を介してその割合をアップロードする手段とを備え、
前記返答率取得手段は、前記ユーザー端末からアップロードされてくる割合を前記返答率として取得することを特徴とする。
【００１０】
第６の発明は、請求項２記載のオンラインコミュニケーション装置であって、
前記ユーザー端末は、他のメンバーから送信されてきたメールに対して返信が出された割合を計算する返信割合計算手段と、前記割合を符号化情報としてユーザーに提示する情報提示手段と、ユーザーによって入力された前記符号化情報を通信回線を介してアップロードする手段とを備え、
当該オンラインコミュニケーション装置は、前記ユーザー端末からアップロードされてくる符号化情報を解読する手段を備え、
前記返答率取得手段は、前記符号化情報の解読結果の中から前記返答率を取得することを特徴とする。
【００１１】
第７の発明は、請求項１乃至６の何れか１項記載のオンラインコミュニケーション装置であって、
前記メンバーそれぞれの性格情報に基づいて、個々メンバーと他のメンバーとの相性を導き出す相性導出手段と、
前記相性の情報を前記ユーザー端末に提供する相性情報提供手段と、
を備えることを特徴とする。
【００１２】
第８の発明は、通信回線を介して接続された複数のユーザー端末に対してオンラインによるコミュニケーションサービスを提供するための方法であって、
前記コミュニケーションサービスはチャットサービスと掲示板サービスを含み、
チャットサービスに参加しているメンバーの紹介情報を前記メンバーそれぞれのユーザー端末に提供する情報提供ステップと、
個々のメンバーの、他のメンバーの掲示板への発言に対する返答率を取得する返答率取得ステップとを備え、
前記情報提供ステップは、前記紹介情報の一部として、前記返答率に応じて、異なる性格情報を提供する性格情報提供ステップを含むことを特徴とする。
【００１３】
第９の発明は、通信回線を介して接続された複数のユーザー端末に対してオンラインによるコミュニケーションサービスを提供するための方法であって、
前記コミュニケーションサービスはチャットサービスとメール交換サービスを含み、
チャットサービスに参加しているメンバーの紹介情報を前記メンバーそれぞれのユーザー端末に提供する情報提供ステップと、
個々のメンバーの、他のメンバーからのメールに対する返答率を取得する返答率取得ステップとを備え、
前記情報提供ステップは、前記紹介情報の一部として、前記返答率に応じて、異なる性格情報を提供する性格情報提供ステップを含むことを特徴とする。
【００１４】
第１０の発明は、請求項８記載のオンラインコミュニケーション方法であって、
前記返答率取得ステップは、前記掲示板サービスの場に送信される発言の中から、他のメンバーの発言に対する返答を検出する返答検出ステップと、メンバー毎に前記返答の回数を計数する返答回数計数ステップと、前記返答の回数に基づいて、個々のメンバーの前記返答率を計算する返答率計算ステップと、を含むことを特徴とする。
【００１５】
第１１の発明は、請求項９記載のオンラインコミュニケーション方法であって、
前記返答率取得ステップは、前記メール交換サービスの場に送信されるメールの中から、他のメンバーのメールに対する返答を検出する返答検出ステップと、メンバー毎に前記返答の回数を計数する返答回数計数ステップと、前記返答の回数に基づいて、個々のメンバーの前記返答率を計算する返答率計算ステップと、を含むことを特徴とする。
【００１６】
第１２の発明は、請求項９記載のオンラインコミュニケーション方法であって、
前記ユーザー端末は、他のメンバーから送信されてきたメールに対して返信が出された割合を計算する返信割合計算処理と、通信回線を介してその割合をアップロードする処理とを実行し、
前記返答率取得ステップでは、前記ユーザー端末からアップロードされてくる割合が前記返答率として取得されることを特徴とする。
【００１７】
第１３の発明は、請求項９記載のオンラインコミュニケーション方法であって、
前記ユーザー端末は、他のメンバーから送信されてきたメールに対して返信が出された割合を計算する返信割合計算処理と、前記割合を符号化情報としてユーザーに提示する情報提示処理と、ユーザーによって入力された前記符号化情報を通信回線を介してアップロードする処理とを実行し、
当該オンラインコミュニケーション方法は、前記ユーザー端末からアップロードされてくる符号化情報を解読するステップを含み、
前記返答率取得ステップでは、前記符号化情報の解読結果の中から前記返答率が取得されることを特徴とする。
【００１８】
第１４の発明は、請求項８乃至１３の何れか１項記載のオンラインコミュニケーション方法であって、
前記メンバーそれぞれの性格情報に基づいて、個々メンバーと他のメンバーとの相性を導き出す相性導出ステップと、
前記相性の情報を前記ユーザー端末に提供する相性情報提供ステップと、
を含むことを特徴とする。
【００１９】
第１５の発明は、通信回線を介して接続された複数のユーザー端末に対してオンラインによるコミュニケーションサービスを提供するためのプログラムであって、
前記コミュニケーションサービスはチャットサービスと掲示板サービスを含み、
チャットサービスに参加しているメンバーの紹介情報を前記メンバーそれぞれのユーザー端末に提供する情報提供処理をコンピュータに実行させるためのプログラムと、
個々のメンバーの、他のメンバーの掲示板への発言に対する返答率を取得する返答率取得処理をコンピュータに実行させるためのプログラムとを含み、
前記情報提供処理は、前記紹介情報の一部として、前記返答率に応じて、異なる性格情報を提供する性格情報提供処理を含むことを特徴とする。
【００２０】
第１６の発明は、通信回線を介して接続された複数のユーザー端末に対してオンラインによるコミュニケーションサービスを提供するためのプログラムであって、
前記コミュニケーションサービスはチャットサービスとメール交換サービスを含み、
チャットサービスに参加しているメンバーの紹介情報を前記メンバーそれぞれのユーザー端末に提供する情報提供処理をコンピュータに実行させるためのプログラムと、
個々のメンバーの、他のメンバーからのメールに対する返答率を取得する返答率取得処理をコンピュータに実行させるためのプログラムとを含み、
前記情報提供処理は、前記紹介情報の一部として、前記返答率に応じて、異なる性格情報を提供する性格情報提供処理を含むことを特徴とする。
【００２１】
第１７の発明は、請求項１５記載のオンラインコミュニケーション用プログラムであって、
前記返答率取得処理は、前記掲示板サービスの場に送信される発言の中から、他のメンバーの発言に対する返答を検出する返答検出処理と、メンバー毎に前記返答の回数を計数する返答回数計数処理と、前記返答の回数に基づいて、個々のメンバーの前記返答率を計算する返答率計算処理と、を含むことを特徴とする。
【００２２】
第１８の発明は、請求項１６記載のオンラインコミュニケーション用プログラムであって、
前記返答率取得処理は、前記メール交換サービスの場に送信されるメールの中から、他のメンバーのメールに対する返答を検出する返答検出処理と、メンバー毎に前記返答の回数を計数する返答回数計数処理と、前記返答の回数に基づいて、個々のメンバーの前記返答率を計算する返答率計算処理と、を含むことを特徴とする。
【００２３】
第１９の発明は、請求項１６記載のオンラインコミュニケーション用プログラムであって、
前記ユーザー端末は、他のメンバーから送信されてきたメールに対して返信が出された割合を計算する返信割合計算処理と、通信回線を介してその割合をアップロードする処理とを実行し、
前記返答率取得処理では、前記ユーザー端末からアップロードされてくる割合が前記返答率として取得されることを特徴とする。
【００２４】
第２０の発明は、請求項１６記載のオンラインコミュニケーション用プログラムであって、
前記ユーザー端末は、他のメンバーから送信されてきたメールに対して返信が出された割合を計算する返信割合計算処理と、前記割合を符号化情報としてユーザーに提示する情報提示処理と、ユーザーによって入力された前記符号化情報を通信回線を介してアップロードする処理とを実行し、
当該オンラインコミュニケーション用プログラムは、前記ユーザー端末からアップロードされてくる符号化情報を解読する処理をコンピュータに実行させるためのプログラムを更に含み、
前記返答率取得処理では、前記符号化情報の解読結果の中から前記返答率が取得されることを特徴とする。
【００２５】
第２１の発明は、請求項１５乃至２０の何れか１項記載のオンラインコミュニケーション用プログラムであって、
前記メンバーそれぞれの性格情報に基づいて、個々メンバーと他のメンバーとの相性を導き出す相性導出処理と、
前記相性の情報を前記ユーザー端末に提供する相性情報提供処理と、
をコンピュータに実行させるプログラムを含むことを特徴とする。
【００２６】
第２２の発明は、コンピュータ読み取り可能な記録媒体であって、請求項１５乃至２１の何れか１項記載のオンラインコミュニケーション用プログラムを記録したことを特徴とする。
【００２７】
【発明の実施の形態】
実施の形態１．
図１は、本発明の実施の形態１のオンラインコミュニケーション装置１０（以下、単に「コミュニケーション装置１０」と称す）を使用したオンラインコミュニケーションシステムの構成を表すブロック図である。図１に示すように、コミュニケーション装置１０は、通信回線網１２を介して複数のユーザー端末１４に接続されている。個々のユーザーは、ユーザー端末１４を用いて、通信回線網１２を介してコミュニケーション装置１０にアクセスすることができる。コミュニケーション装置１０は、通信回線１２を介してアクセスしてきた複数のユーザーに対してチャットサービスを提供することができる。
【００２８】
図２は、コミュニケーション装置１０の主要部分の構成を表すブロック図である。図２に示すように、コミュニケーション装置１０は、演算処理部２０を備えている。演算処理部２０は、コミュニケーション装置１０が備える記録媒体（図示せず）に予め記録されているプログラムに従って、チャットサービスの提供に必要な処理を実行する部分である。
【００２９】
演算処理部２０には、入力インターフェース（Ｉ／Ｆ）２２、通信Ｉ／Ｆ２４、およびデータベース２６が接続されている。入力Ｉ／Ｆ２２は、コミュニケーション装置１０に外部から所望のデータ等を入力する際に用いられるユニットである。通信Ｉ／Ｆ２４は、コミュニケーション装置１０が通信回線網１２との間で必要な通信情報を授受するために用いられる。また、データベース２６には、ユーザー登録の内容などが記録されている。
【００３０】
以下、図３乃至図１１を参照して、本実施形態のコミュニケーション装置１０の動作について説明する。
図３は、コミュニケーション装置１０にアクセスしてきたユーザー端末１４に表示されるチャット画面の１例を示す。図３に示す画面には、チャットウィンドウ３０と紹介情報ウィンドウ３２が表示されている。
【００３１】
チャットウィンドウ３０には、チャットに参加している個々のメンバーにより入力された発言の内容が時系列で順次表示される。紹介情報ウィンドウ３２には、チャットに参加している個々のメンバーの表示欄が設けられており、それぞれの表示欄には、名前欄３４、称号欄３６、一行コメント欄３８、メールボタン４０、および性格情報欄４２が設けられている。
【００３２】
コミュニケーション装置１０が提供するチャットのサイトを利用するためには、事前にユーザー登録が要求される。名前欄３４や称号欄３６には、そのユーザー登録の際に個々のユーザーにより入力された名前や称号が表示される。また、ユーザー登録を済ませたユーザーがチャットのメンバーに加わる際には、そのユーザーに対して、ＩＤおよびパスワードの入力と共に、現在の状態などを表現した一行コメントが求められる。一行コメント欄３８には、その内容が表示される。
【００３３】
メールボタン４０は、ユーザー端末１４に搭載されている電子メールソフトを起動し、かつ、宛先の指定された白紙のメールを呼び出すためのボタンである。すなわち、チャットに参加しているメンバーは、何れかのメンバーの欄に設けられているメールボタン４０をクリックすることで、そのメンバーを宛先とする白紙のメールを呼び出すことができる。
【００３４】
性格情報欄４２は、個々のメンバーの性格情報、すなわち、性格を表す内容が表示される欄である。本実施形態のコミュニケーション装置１０は、それらの性格情報欄４２に、個々のメンバーの性格情報を表示させる点に特徴を有している。ここで、図３の性格情報欄４２に表示される内容は、それぞれ以下の内容であることがメンバーの間では周知であるものとする。
水：おおらかな性格
風：気分屋
火：激情家
地：新しい物好き
氷：沈着冷静
雷：理論派
【００３５】
尚、本実施形態において、性格情報を「水」や「火」などの語で表しているのは、コミュニケーション装置１０が提供するチャットのサイトに関連するゲーム等のサイトとの関係によるものである。従って、性格情報は、必ずしも「水」や「火」などの語で表す必要はなく、性格情報欄４２に、直接的に「おおらかな性格」或いは「激情家」などとメンバーの性格を表示してもよい。
【００３６】
紹介情報ウィンドウ３２内に個々のメンバーの性格情報が表示されていると、コミュニケーションを交わすのが全く初めての相手についても会話のきっかけをつかみ易い。このため、本実施形態のコミュニケーション装置１０によれば、メンバー間の会話を活性化させることができると共に、チャットを敬遠していたユーザーが従来感じていたためらい、すなわち、会話の相手の素性が全く判らないことから感ずるためらい取り除いて、より広い層のユーザーが参加し易いチャットサービスを実現することができる。
【００３７】
本実施形態において、性格情報欄４２に表示される個々のメンバーの性格情報は、メンバー本人の恣意によるものではなく、ある程度客観性のある情報であることが望ましい。そこで、コミュニケーション装置１０は、チャットのサイトとは別に性格診断テストのサイトをユーザーに提供し、そのテストの結果を性格情報欄４２に表示することとしている。尚、このサイトは、コミュニケーション装置１０が自ら格納しているプログラムに従って性格診断テストの処理を実行する形態であっても、或いは、コミュニケーション装置１０が性格診断テストのプログラムをユーザー端末１４に提供し、ユーザー端末１４側で実行された性格診断テストの結果がコミュニケーション装置１０に送信される形態であってもよい。
【００３８】
図４は、コミュニケーション装置１０が提供する性格診断テストのサイトのトップページの１例である。このページで「クレーメルチェックをやってみる」をクリックすると、以後、図５〜図８に示すように、「はい／いいえ」形式の質問が６０問出題される。これら全ての質問に答え終えると、ユーザー端末１４には、図９に示す出題終了画面に続いて、例えば図１０に示すようなテスト結果画面が表示される。尚、本実施形態では、このようなテスト結果画面が、上述した水、風、火、地、氷、雷の６種類のついて準備されている。
【００３９】
コミュニケーション装置１０は、このようにして表示された性格診断テストの結果、すなわち、水や風、或いは火などの性格情報を、そのテストを実行したユーザーのＩＤと関連付けてデータベース２６に記録する。そして、ユーザーがチャットのメンバーに加わる際に、データベース２６からそのユーザーの性格情報を読み出して、その内容を性格情報欄４２に表示する。
【００４０】
図１１は、本実施形態のコミュニケーション装置１０が上記の機能を実現するために実行する一連の処理のフローチャートを示す。図１１に示す一連の処理は、何れかのユーザーによってチャットへの参加が求められた場合に実行される。
図１１に示す一連の処理では、先ず、チャットへの参加を求めるユーザーが入力したＩＤに基づいて、そのユーザーが特定される（ステップ１００）。
【００４１】
次に、特定されたユーザーの性格情報がデータベース２６に記録されているか否かが判別される（ステップ１０２）。
その結果、性格情報が存在すると判別された場合は、そのユーザーに対応して設けられる性格情報欄４２に、その内容が表示される（ステップ１０４）。
一方、性格情報がデータベース２６内に存在しないと判別された場合は、そのユーザーに対応して設けられる性格情報欄４２は空欄とされる。
【００４２】
以上説明したように、本実施形態のコミュニケーション装置１０によれば、ユーザー端末１４に、個々のメンバーが実行した性格診断テストの結果、すなわち、個々のメンバーの客観的な性格情報を提供することができる。このため、本実施形態のコミュニケーション装置１０が提供するチャットサービスでは、個々のメンバーは、他のメンバーの客観的な性格を把握しながら会話を楽しむことができる。
【００４３】
ところで、上述した実施の形態１では、性格情報の存在しないユーザーのチャットへの参加を認め、そのユーザーについては性格情報欄４２を空欄とすることとしているが、本発明はこれに限定されるものではない。すなわち、チャットへの参加の前提として性格診断テストの実行を義務付け、性格情報の存在しないユーザーのチャットへの参加を拒否することとしてもよい。
【００４４】
実施の形態２．
次に、図１２を参照して本発明の実施の形態２のコミュニケーション装置１０について説明する。
本実施形態のコミュニケーション装置１０は、実施の形態１の場合と同様にオンラインによるチャットサービスを提供する。特に、本実施形態のコミュニケーション装置１０は、個々のユーザーのチャットにおける発言率を計算し、その計算値をデータベース２６に蓄積する。ここで、上記の発言率は、単位時間当たりの発言回数、一回の参加当たりの発言回数、或いはメンバー全員の発言総数に占める発言回数の割合などの何れであってもよい。
【００４５】
上述した実施の形態１では、性格診断テストの結果得られた性格情報が性格情報欄４２に表示される。これに対して、本実施形態では、上述した発言率が所定の規則に従って性格情報に変換され、その変換の結果が性格情報欄４２に表示される。
【００４６】
図１２は、本実施形態のコミュニケーション装置１０が上記の機能を実現するために実行する一連の処理のフローチャートを示す。尚、図１２に示すステップのうち、図１１に示すステップと同じ処理が実行されるステップについては、同一の符号を付してその説明を省略または簡略する。
【００４７】
すなわち、本実施形態では、チャットへの参加を求めるユーザーが特定された後（ステップ１００）、そのユーザーの発言率に関するデータがデータベースに記録されているか否かが判別される（ステップ１１０）。
【００４８】
その結果、発言率データが存在すると判別された場合は、予め定められている規則にその発言率データを当てはめることにより性格情報が生成される（ステップ１１２）。ここで、性格情報は、例えば、発言率が低いほど消極的、発言率が高いほど積極的、また、発言率の変動が激しいほど気分屋などのように生成することができる。
【００４９】
本実施形態では、このようにして生成された性格情報が、個々のメンバーに対応して設けられる性格情報欄４２に表示される（ステップ１０４）。尚、発言率データがデータベース２６内に存在しない場合は、そのメンバーの性格情報欄４２は空欄とされる。
【００５０】
上述の如く、本実施形態によれば、個々のユーザーの客観的な性格情報をチャットでの発言率に基づいて取得することができる。そして、チャットに参加しているメンバーにその性格情報を提供することで、実施の形態１の場合と同様に、コミュニケーションの活性化を図ることができる。
【００５１】
実施の形態３．
次に、図１３を参照して本発明の実施の形態３のコミュニケーション装置１０について説明する。
本実施形態のコミュニケーション装置１０は、実施の形態１の場合と同様にオンラインによるチャットサービスを提供すると共に、実施の形態１における性格診断テストと共に、或いはそのサイトに代えて、掲示板のサイトを提供する。この掲示板には、ユーザーが質問を書き込んだり情報を求めたりするために用いる質問欄と、その質問や情報の求めに返答するために用いる返答欄とが設けられている。
【００５２】
本実施形態のコミュニケーション装置１０は、他のユーザーによって掲示板に書き込まれた質問に対する個々のユーザーの返答率を計算し、その結果をデータベースに記録している。ここで、上記の返答率は、単位期間当たりの返答回数や、掲示板へのアクセス回数に対する返答回数の割合、或いは他のユーザーによって書き込まれた質問の総数に対する返答回数の割合などの何れであってもよい。
【００５３】
上述した実施の形態１では、性格診断テストの結果得られた性格情報が、チャットのサイトにおいて性格情報欄４２に表示される。これに対して、本実施形態では、上述した返答率が所定の規則に従って性格情報に変換され、その変換の結果がチャットのサイトで個々のメンバーの性格情報欄４２に表示される。
【００５４】
図１３は、本実施形態のコミュニケーション装置１０が上記の機能を実現するために実行する一連の処理のフローチャートを示す。尚、図１３に示すステップのうち、図１１に示すステップと同じ処理が実行されるステップについては、同一の符号を付してその説明を省略または簡略する。
【００５５】
すなわち、本実施形態では、チャットへの参加を求めるユーザーが特定された後（ステップ１００）、そのユーザーの、掲示板での返答率に関するデータがデータベース２６に記録されているか否かが判別される（ステップ１２０）。
【００５６】
その結果、返答率データが存在すると判別された場合は、予め定められている規則にその返答率データを当てはめることにより性格情報が生成される（ステップ１２２）。ここで、性格情報は、例えば、返答率が高いほど面倒見がよく、その返答率が低いほど無関心といったように生成することができる。
【００５７】
本実施形態では、このようにして生成された性格情報が、個々のメンバーに対応して設けられる性格情報欄４２に表示される（ステップ１０４）。尚、返答率データがデータベース２６内に存在しない場合は、そのメンバーの性格情報欄４２は空欄とされる。
【００５８】
上述の如く、本実施形態によれば、個々のユーザーの客観的な性格情報を、掲示板に掲載された質問等に対する返答率に基づいて取得することができる。そして、チャットに参加しているメンバーにその性格情報を提供することで、実施の形態１の場合と同様に、コミュニケーションの活性化を図ることができる。
【００５９】
実施の形態４．
次に、図１４を参照して本発明の実施の形態４のコミュニケーション装置１０について説明する。
本実施形態のコミュニケーション装置１０は、実施の形態１の場合と同様にオンラインによるチャットサービスを提供すると共に、実施の形態１における性格診断テストと共に、或いはそのサイトに代えて、メール交換サービスのサイトを提供する。このメール交換サービスのサイトでは、メールの送受信の関係が管理されており、コミュニケーション装置１０は、個々のユーザーが他のユーザーから受けたメールに返信メールを返したか否かを監視することができる。
【００６０】
このような機能は、例えば、メールの送信者と受信者を記録しておき、その受信者からその送信者にメールが送られたか否かを監視することで実現できる。また、上記の機能は、返信メールに特別のフラグを付けておき、そのフラグのついたメールが発信されたか否かを監視することによっても実現することができる。本実施形態のコミュニケーション装置１０は、このような方法で返信メールの有無を監視しつつ、その監視の結果に基づいて、個々のユーザーが他のユーザーに返信メールを返す割合（返答率）を計算し、その計算結果をデータベース２６に記録する。
【００６１】
上述した実施の形態１では、性格診断テストの結果得られた性格情報が、チャットのサイトにおいて性格情報欄４２に表示される。これに対して、本実施形態では、上述した返答率が所定の規則に従って性格情報に変換され、その変換の結果がチャットのサイトで個々のメンバーの性格情報欄４２に表示される。
【００６２】
図１４は、本実施形態のコミュニケーション装置１０が上記の機能を実現するために実行する一連の処理のフローチャートを示す。尚、図１４に示すステップのうち、図１１に示すステップと同じ処理が実行されるステップについては、同一の符号を付してその説明を省略または簡略する。
【００６３】
すなわち、本実施形態では、チャットへの参加を求めるユーザーが特定された後（ステップ１００）、そのユーザーの、メールの返答率に関するデータがデータベース２６に記録されているか否かが判別される（ステップ１３０）。
【００６４】
その結果、返答率データが存在すると判別された場合は、予め定められている規則にその返答率データを当てはめることにより性格情報が生成される（ステップ１３２）。ここで、性格情報は、例えば、返答率が高いほどまめであり、その返答率が低いほど無精であるといったように生成することができる。
【００６５】
本実施形態では、このようにして生成された性格情報が、個々のメンバーに対応して設けられる性格情報欄４２に表示される（ステップ１０４）。尚、返答率データがデータベース２６内に存在しない場合は、そのメンバーの性格情報欄４２は空欄とされる。
【００６６】
上述の如く、本実施形態によれば、個々のユーザーの客観的な性格情報を、メールの返答率に基づいて取得することができる。そして、チャットに参加しているメンバーにその性格情報を提供することで、実施の形態１の場合と同様に、コミュニケーションの活性化を図ることができる。
【００６７】
実施の形態５．
次に、図１５を参照して本発明の実施の形態５のコミュニケーション装置１０について説明する。
本実施形態のコミュニケーション装置１０は、実施の形態１の場合と同様にオンラインによるチャットサービスを提供すると共に、実施の形態１における性格診断テストと共に、或いはそのサイトに代えて、ゲームのサイトを提供する。尚、このサイトは、コミュニケーション装置１０が自ら格納しているプログラムに従ってゲームの処理を実行する形態であっても、或いは、コミュニケーション装置１０がゲームのプログラムをユーザー端末１４に提供し、ユーザー端末１４側で実行されたゲームの結果がコミュニケーション装置１０に送信される形態であってもよい。
【００６８】
コミュニケーション装置１０は、このゲームのサイトで、個々のユーザーがどのようにゲームを進行させるかを監視し、その監視の内容をデータベース２６に記録する。ここでは、例えば、ゲーム画面に隠されている宝箱を隈無く探すか否か、ゲーム画面に示された迷路を細部に渡って探索するか否か、或いは助けを求めるキャラクタに対してどのように対処するか、などがゲームデータとしてデータベース２６に記録される。
【００６９】
上述した実施の形態１では、性格診断テストの結果得られた性格情報が、チャットのサイトにおいて性格情報欄４２に表示される。これに対して、本実施形態では、上述したゲームデータが所定の規則に従って性格情報に変換され、その変換の結果がチャットのサイトで個々のメンバーの性格情報欄４２に表示される。
【００７０】
図１５は、本実施形態のコミュニケーション装置１０が上記の機能を実現するために実行する一連の処理のフローチャートを示す。尚、図１５に示すステップのうち、図１１に示すステップと同じ処理が実行されるステップについては、同一の符号を付してその説明を省略または簡略する。
【００７１】
すなわち、本実施形態では、チャットへの参加を求めるユーザーが特定された後（ステップ１００）、そのユーザーのゲームデータがデータベース２６に記録されているか否かが判別される（ステップ１４０）。
【００７２】
その結果、ゲームデータが存在すると判別された場合は、予め定められている規則にそのゲームデータを当てはめることにより性格情報が生成される（ステップ１４２）。例えば、ゲーム内で宝箱を隈無く探すユーザーについては、几帳面であるといった性格情報が生成される。また、助けを求めるキャラクタを全て助けるユーザーについては、優しいといった性格情報が生成される。
【００７３】
本実施形態では、このようにして生成された性格情報が、個々のメンバーに対応して設けられる性格情報欄４２に表示される（ステップ１０４）。尚、ゲームデータがデータベース２６内に存在しない場合は、そのメンバーの性格情報欄４２は空欄とされる。
【００７４】
上述の如く、本実施形態によれば、個々のユーザーがどのようにゲームを進行させるかに基づいて、そのユーザーの客観的な性格情報を取得することができる。そして、チャットに参加しているメンバーにその性格情報を提供することで、実施の形態１の場合と同様に、コミュニケーションの活性化を図ることができる。
【００７５】
ところで、上述した実施の形態１〜５では、コミュニケーション装置１０が、自ら提供するサイトで得られた情報に基づいてユーザーの性格情報を取得しているが、性格情報を取得する方法はこれに限定されるものではない。
【００７６】
例えば、実施の形態１の性格診断テストは、ユーザー端末１４にアプリケーションソフトを組み込んで行うこととしてもよい。この場合、性格診断テストの実行プログラムにテスト結果をアップロードさせるプログラムを含めておくことで、コミュニケーション装置１０は、客観的な性格診断結果を得て、実施の形態１の場合と同様の機能を提供することができる。
【００７７】
また、実施の形態４のメールの返答率は、ユーザー端末１４からのアップロードにより取得してもよい。この機能は、ユーザー端末１４内のメールソフトに、上記の返答率を計算してアップロードするためのプログラムを含めておくことで実現できる。この場合、コミュニケーション装置１０は、メールの送受信を管理することなく、実施の形態４の場合と同様の機能を提供することができる。
【００７８】
また、実施の形態５のゲームデータも、ユーザー端末１４からのアップロードにより取得してもよい。この機能は、ユーザー端末１４で実行されるゲームのアプリケーションソフトに、ゲームデータをアップロードするためのプログラムを含めておくことで実現できる。この場合、コミュニケーション装置１０は、ゲームの進行状態の監視などを行うことなく、実施の形態５の場合と同様の機能を提供することができる。
【００７９】
更に、上述した性格診断結果、メールの返答率、およびゲームデータは、ユーザー端末１４からの自動的なアップロードによらず、ユーザーによって入力されたパスワードデータから取得することとしてもよい。
【００８０】
図１６は、ユーザー端末１４で実行される自動車レースゲームの終了画面１５０の一例である。この画面１５０には、走行コース、タイム、および使用車種に関するデータを内包する符号化情報１５２が表示されている。ゲームデータがこのように符号化されていると、ユーザーは、その内容を恣意的に改竄することができない。同様に、性格診断テストの結果やメールの返答率が符号化されている場合も、ユーザーはその内容を恣意的に改竄することはできない。従って、性格診断結果、メールの返答率、およびゲームデータを符号化された情報でユーザーに提供することによれば、ユーザーによってデータが入力される過程で、そのデータの客観性が損なわれるのを防ぐことができる。
【００８１】
性格診断結果やメールの返答率、或いはゲームデータが、上記の如く符号化された状態でユーザーにより入力される場合、コミュニケーション装置１０には、その符号化された情報を解読する機能が要求される。そのような解読機能を有する場合、コミュニケーション装置１０は、符号化情報の解読結果から性格診断結果などの情報を取得して、実施の形態１，４または５と同様の機能を提供することができる。
【００８２】
また、上述した実施の形態１乃至５では、コミュニケーション装置１０が、ユーザーの性格情報をチャットのサイトで利用することとしているが、性格情報の利用の仕方はこれに限定されるものではない。すなわち、ユーザーの性格情報は、チャットのサイトの他、掲示板のサイト、メール交換サービスのサイト、或いは多人数参加型のオンラインゲームのサイトなどで、メンバー間のコミュニケーションを活性化させるために利用してもよい。
【００８３】
【発明の効果】
上述の如く、本発明によれば、オンラインによるコミュニケーションサービスに参加するメンバーに、他のメンバーの性格情報を提供することができる。このため、本発明によれば、メンバー間の会話を活性化させることができる。
【図面の簡単な説明】
【図１】本発明の実施の形態１のオンラインコミュニケーションシステムの概要を説明するためのブロック図である。
【図２】図１に示すコミュニケーション装置のブロック図である。
【図３】本発明の実施の形態１においてユーザー端末に提供されるチャット画面の１例である。
【図４】本発明の実施の形態１においてユーザー端末に提供される性格診断テストのサイトのトップページの１例である。
【図５】診断テストの開始ページの１例である。
【図６】質問ページの第１の例である。
【図７】質問ページの第２の例である。
【図８】質問ページの第３の例である。
【図９】質問終了時に表示されるページの１例である。
【図１０】性格診断結果を表示するページの１例である。
【図１１】本発明の実施の形態１のコミュニケーション装置で実行される一連の処理のフローチャートである。
【図１２】本発明の実施の形態２のコミュニケーション装置で実行される一連の処理のフローチャートである。
【図１３】本発明の実施の形態３のコミュニケーション装置で実行される一連の処理のフローチャートである。
【図１４】本発明の実施の形態４のコミュニケーション装置で実行される一連の処理のフローチャートである。
【図１５】本発明の実施の形態５のコミュニケーション装置で実行される一連の処理のフローチャートである。
【図１６】ゲームデータがパスワードで表示されたゲーム画面の１例である。
【符号の説明】
１０  オンラインコミュニケーション装置
１２  通信回線
１４  ユーザー端末
２０  演算処理部
２６  データベース
３０  チャットウィンドウ
３２  紹介情報ウィンドウ
３４  名前欄
３６  称号欄
３８  一行コメント
４０  メールボタン
４２  性格情報欄
１５０  ゲーム終了画面
１５２  パスワード
【図１】
0003544947.tif 000002
【図２】
0003544947.tif 000003
【図３】
0003544947.tif 000004
【図４】
0003544947.tif 000005
【図５】
0003544947.tif 000006
【図６】
0003544947.tif 000007
【図７】
0003544947.tif 000008
【図８】
0003544947.tif 000009
【図９】
0003544947.tif 000010
【図１０】
0003544947.tif 000011
【図１１】
0003544947.tif 000012
【図１２】
0003544947.tif 000013
【図１３】
0003544947.tif 000014
【図１４】
0003544947.tif 000015
【図１５】
0003544947.tif 000016
【図１６】
0003544947.tif 000017